(57)【要約】【課題】構造物の柱と既製杭との連結構造に係る柱型部の平面サイズを小さくできて建築計画の自由度を高める。【解決手段】構造物の柱と、その下方の地盤に埋設される既製杭とを、前記柱の土台をなす柱型部を介して連結する連結構造である。前記柱型部は、コンクリート製の柱型部本体と、前記柱を前記柱型部本体に定着させるために前記柱型部本体内における水平方向の複数の位置に鉛直方向に沿って埋設された複数のアンカーボルトと、前記複数のアンカーボルトを水平方向の外方から囲いつつ前記柱型部本体内に埋設されたフープ筋と、を有する。前記アンカーボルトが前記柱型部の主筋を兼ねることにより、前記柱型部内には、該柱型部の主筋としてのみ機能する鉄筋は埋設されていない。前記既製杭の頭部は、前記柱型部本体内における前記複数のアンカーボルトで囲まれる部位に埋設されている。【選択図】図３
2011084967.tif 000002
【特許請求の範囲】
【請求項１】
構造物の柱と、その下方の地盤に埋設される既製杭とを、前記柱の土台をなす柱型部を介して連結する連結構造であって、
前記柱型部は、コンクリート製の柱型部本体と、前記柱を前記柱型部本体に定着させるために前記柱型部本体内における水平方向の複数の位置に鉛直方向に沿って埋設された複数のアンカーボルトと、前記複数のアンカーボルトを水平方向の外方から囲いつつ前記柱型部本体内に埋設されたフープ筋と、を有し、
前記アンカーボルトが前記柱型部の主筋を兼ねることにより、前記柱型部内には、該柱型部の主筋としてのみ機能する鉄筋は埋設されておらず、
前記既製杭の頭部は、前記柱型部本体内における前記複数のアンカーボルトで囲まれる部位に埋設されていることを特徴とする構造物の柱と既製杭との連結構造。
【請求項２】
請求項１に記載の構造物の柱と既製杭との連結構造であって、
前記アンカーボルトと前記既製杭の頭部とは、鉛直方向にオーバーラップしていることを特徴とする構造物の柱と既製杭との連結構造。
【請求項３】
請求項２に記載の構造物の柱と既製杭との連結構造であって、
前記柱型部本体内に埋設される前記既製杭の頭部の直径がＤ（ｍｍ）である場合に、前記アンカーボルトと前記既製杭の頭部との鉛直方向のオーバーラップ長は、１×Ｄ（ｍｍ）以上であることを特徴とする構造物の柱と既製杭との連結構造。
【請求項４】
請求項２又は３に記載の構造物の柱と既製杭との連結構造であって、
前記フープ筋は、鉛直方向に複数並んで配置されており、
前記オーバーラップしている範囲における上半部と下半部とのそれぞれにつき、少なくとも１本以上の前記フープ筋が配置されていることを特徴とする構造物の柱と既製杭との連結構造。
【請求項５】
請求項１乃至４の何れかに記載の構造物の柱と既製杭との連結構造であって、
前記アンカーボルトよりも水平方向の外方に、前記フープ筋を束ねて支持するための建て方筋が配置されており、
前記フープ筋は、前記アンカーボルトとの間に間隔を有しつつ、前記アンカーボルトの外方に配置されていることを特徴とする構造物の柱と既製杭との連結構造。
【請求項６】
請求項１乃至４の何れかに記載の構造物の柱と既製杭との連結構造であって、
前記フープ筋は、前記複数のアンカーボルトに巻き付けられて接合されていることを特徴とする構造物の柱と既製杭との連結構造。
【発明の詳細な説明】
【技術分野】
【０００１】
本発明は、構造物の柱と、地盤に埋設される既製杭との連結構造に関する。
【背景技術】
【０００２】
従来、構造物の柱を、地盤Ｇに埋設される基礎杭としての既製杭に連結する方法として、これら両者を、ＲＣ（鉄筋コンクリート）造等のフーチングを介して連結することが知られている。
【０００３】
一方、構造物の柱１０を、地盤Ｇに埋設される基礎梁２０に連結する構造として、スマートベース（商標）が知られている。図１は、スマートベースの主要部となる柱型部３０を破断して示す概略側面図である。このスマートベースにあっては、柱１０の下方に、基礎梁２０と連結したＲＣ造の柱型部３０を設ける。そして、この柱型部３０内に埋設されたアンカーボルト３４に前記柱１０の下端部１０ｂをナット３５ａで締結固定することにより前記柱１０を柱型部３０に定着して、柱１０と基礎梁２０とを連結する。ここで、このスマートベースにおいては、前記アンカーボルト３４に、柱型部３０の主筋を兼ねさせる。そして、これにより、柱型部３０内に配されるべき主筋を省略して、煩雑な配筋作業の軽減化やコストダウンを図っている。
【先行技術文献】
【特許文献】
【０００４】
【特許文献１】特開２００５−２５６４２４号公報
【発明の概要】
【発明が解決しようとする課題】
【０００５】
しかしながら、特許文献１に開示されているのは、スマートベースの基礎梁２０への適用例だけであり、つまり、当該特許文献１には、基礎杭に対する適用例は開示されていない。
【０００６】
ここで、当該基礎杭に対してスマートベースを適用する場合には、その適用の仕方によっては、柱型部３０の強度確保の観点から、柱型部３０の平面サイズを大きくする必要が生じる。
【０００７】
図２Ａ及び図２Ｂは、これを詳しく説明するための図である。図２Ａは、スマートベースを、基礎杭としての既製杭５０に適用した場合に想定される構成例の概略側面図であり、柱型部３０を破断して示している。また、図２Ｂは、図２Ａ中のＢ−Ｂ断面図である。
【０００８】
例えば、地震時において構造物の柱１０が地面に対して相対的に水平方向の左に揺れた際には、図２Ａのように、既製杭５０の頭部５０ａから柱型部３０へと右向きの水平力Ｆが剪断的に作用する。そして、この時、図示のように、柱型部３０内への既製杭５０の頭部５０ａの埋め込み長Ｌ１が短かったりすると、上述の水平力Ｆを、専ら前記頭部５０ａの右側に位置するコンクリート部分３０ｐの耐力のみで受け止めることになる。つまり、柱型部３０内のフープ筋３８は有効に機能せず、フープ筋３８の張力に全く頼ることができない。そのため、このような場合に、図２Ｂ中灰色領域３０ｋで示すような柱型部３０の剪断的な破損を防ぐには、既製杭５０の外周面５０ｓから柱型部３０の外形輪郭３０ｓまでの寸法Ｌ２を、図２Ｂ中二点鎖線で示すようにＬ２’へと拡大して、そのコンクリート部分３０ｐの剪断耐力の向上を図ることが必要になる。
【０００９】
しかし、そうすると、柱型部３０の平面サイズの増大を来し、結果、柱１０の平面位置を敷地境界に近づけ難くなる等、建築計画を大きく制約する虞がある。
【００１０】
本発明は、上記のような従来の問題に鑑みなされたものであって、柱型部の平面サイズを小さくできて建築計画の自由度を高めることが可能な構造物の柱と既製杭との連結構造を提供することを目的とする。
【課題を解決するための手段】
【００１１】
かかる目的を達成するために請求項１に示す発明は、
構造物の柱と、その下方の地盤に埋設される既製杭とを、前記柱の土台をなす柱型部を介して連結する連結構造であって、
前記柱型部は、コンクリート製の柱型部本体と、前記柱を前記柱型部本体に定着させるために前記柱型部本体内における水平方向の複数の位置に鉛直方向に沿って埋設された複数のアンカーボルトと、前記複数のアンカーボルトを水平方向の外方から囲いつつ前記柱型部本体内に埋設されたフープ筋と、を有し、
前記アンカーボルトが前記柱型部の主筋を兼ねることにより、前記柱型部内には、該柱型部の主筋としてのみ機能する鉄筋は埋設されておらず、
前記既製杭の頭部は、前記柱型部本体内における前記複数のアンカーボルトで囲まれる部位に埋設されていることを特徴とする。
【００１２】
上記請求項１に示す発明によれば、既製杭の頭部は、柱型部内において、複数のアンカーボルトで囲まれる部位に埋設されている。また、同複数のアンカーボルトには、これらアンカーボルトを水平方向の外方から囲ってフープ筋が設けられている。
【００１３】
よって、地震時において構造物の柱が水平方向に揺れた際に、既製杭の頭部が柱型部本体に加え得る水平力に対しては、柱型部本体は、フープ筋の張力で有効に受け止めることができて、これにより、柱型部本体自体の平面サイズを大きくしてコンクリート部分の剪断耐力を高めずとも、柱型部本体の破損を防ぐことができる。その結果、柱の平面位置を敷地境界に近づけることが可能になる等、建築計画の自由度を高めることができる。
【００１４】
請求項２に示す発明は、請求項１に記載の構造物の柱と既製杭との連結構造であって、
前記アンカーボルトと前記既製杭の頭部とは、鉛直方向にオーバーラップしていることを特徴とする。  
上記請求項２に示す発明によれば、地震時に既製杭の頭部が柱型部本体に加え得る前述の水平力を、前記フープ筋の張力で有効に受け止め、前記アンカーボルトを介して構造物の柱に効率的に伝達することができる。これにより、この水平力を有効に受け止め可能となり、結果、柱型部本体自体の平面サイズを大きくせずに済む。
【００１５】
請求項３に示す発明は、請求項２に記載の構造物の柱と既製杭との連結構造であって、
前記柱型部本体内に埋設される前記既製杭の頭部の直径がＤ（ｍｍ）である場合に、前記アンカーボルトと前記既製杭の頭部との鉛直方向のオーバーラップ長は、１×Ｄ（ｍｍ）以上であることを特徴とする。  
上記請求項３に示す発明によれば、前記オーバーラップ長は、比較的長く確保される。よって、地震時に既製杭の頭部が柱型部本体に加え得る水平力を、アンカーボルト及びフープ筋の張力でしっかりと受け止めることができる。
【００１６】
また、既製杭の横断面サイズに応じて、前記オーバーラップ長が決められるので、既製杭の水平耐力に見合った大きさの水平力を柱型部本体へ確実に伝達することができる。つまり、柱型部本体に対して、既製杭の資材コストに相応する大きさの水平力を柱型部本体に伝達することができて、これにより、必要以上に既製杭の横断面サイズが大きいという過剰仕様に起因したコスト増を有効に防止できる。
【００１７】
請求項４に示す発明は、請求項２又は３に記載の構造物の柱と既製杭との連結構造であって、
前記フープ筋は、鉛直方向に複数並んで配置されており、
前記オーバーラップしている範囲における上半部と下半部とのそれぞれにつき、少なくとも１本以上の前記フープ筋が配置されていることを特徴とする。  
上記請求項４に示す発明によれば、地震時に既製杭の頭部が柱型部本体に加え得る水平力を、フープ筋に確実に伝達することができて、その結果、前記水平力をフープ筋の張力でしっかりと受け止めることができる。
【００１８】
また、前記オーバーラップしている範囲における上半部に少なくとも１本のフープ筋が配置され、同下半部にも少なくとも１本のフープ筋が配置される。よって、地震時に既製杭の頭部が、前記オーバーラップしている範囲において柱型部に対して傾いた際に、同範囲の上半部及び下半部にて既製杭から柱型部へ付与され得る偶力を、上半部のフープ筋及び下半部のフープ筋で確実に押さえ込むことができる（偶力については、図４中の水平力Ｆａ及びＦｂを参照）。よって、柱型部の耐久性を格段に高めることができる。
【００１９】
請求項５に示す発明は、請求項１乃至４の何れかに記載の構造物の柱と既製杭との連結構造であって、
前記アンカーボルトよりも水平方向の外方に、前記フープ筋を束ねて支持するための建て方筋が配置されており、
前記フープ筋は、前記アンカーボルトとの間に間隔を有しつつ、前記アンカーボルトの外方に配置されていることを特徴とする。  
上記請求項５に示す発明によれば、建て方筋を用いるので、アンカーボルトの外方にフープ筋を容易且つ確実に配置可能となる。その結果、地震時に既製杭の頭部が柱型部本体に加え得る水平力を、アンカーボルト及びフープ筋の張力で確実に受け止め可能となる。
【００２０】
請求項６に示す発明は、請求項１乃至４の何れかに記載の構造物の柱と既製杭との連結構造であって、
前記フープ筋は、前記複数のアンカーボルトに巻き付けられて接合されていることを特徴とする。  
上記請求項６に示す発明によれば、フープ筋を支持するための建て方筋を設けずに済むので、資材コストの削減を図れる。  
また、前記接合に基づきフープ筋はアンカーボルトに近接配置されるので、柱型部の平面サイズを小さくすることができる。  
更には、アンカーボルトとフープ筋との前記接合に基づいて、アンカーボルトとフープ筋との水平力の伝達が速やか且つ確実に行われるので、地震時に既製杭の頭部が柱型部本体に加え得る水平力をフープ筋の張力でより確実に受け止め可能となる。
【発明の効果】
【００２１】
本発明によれば、柱型部の平面サイズを小さくできて建築計画の自由度を高めることができる。
【図面の簡単な説明】
【００２２】
【図１】スマートベースの主要部となる柱型部３０を破断して示す概略側面図である。
【図２】図２Ａは、参考例として、スマートベースを、基礎杭としての既製杭５０に適用した場合の概略側面図であり、図２Ｂは、図２Ａ中のＢ−Ｂ断面図である。
【図３】図３Ａ及び図３Ｂは、本実施形態に係る柱１０と既製杭５０との連結構造の説明図であって、図３Ａは、連結構造に係る柱型部３０を破断して示す概略側面図であり、図３Ｂは、図３Ａ中のＢ−Ｂ断面図である。
【図４】本実施形態の作用効果を説明するための柱型部３０を破断して示す概略側面図である。
【図５】図５Ａ乃至図５Ｆは、本実施形態の連結構造の施工手順の説明図である。
【図６】図６Ａ及び図６Ｂは、本実施形態に係る柱型部３０の変形例の説明図であって、図６Ａは、柱型部３０を破断して示す概略側面図であり、図６Ｂは、図６Ａ中のＢ−Ｂ断面図である。
【発明を実施するための形態】
【００２３】
＝＝＝本実施形態＝＝＝
図３Ａ及び図３Ｂは、本実施形態に係る構造物の柱１０と既製杭５０との連結構造の説明図である。図３Ａは、連結構造に係る柱型部３０を破断して示す概略側面図であり、図３Ｂは、図３Ａ中のＢ−Ｂ断面図である。
【００２４】
図３Ａに示すように、本実施形態に係る既製杭５０は、地盤Ｇに埋設されている。また、その上方には、建物等の構造物の柱１０が配置されており、これら既製杭５０及び柱１０の両者は、柱１０の土台としての柱型部３０を介して連結されている。なお、この柱型部３０は、既製杭５０と柱１０との仕口部（又は接合部）と言うこともでき、この例では、図３Ａに示すように、この柱型部３０を介して地盤Ｇ中の基礎梁２０も連結されている。ちなみに、基礎梁２０の無い独立基礎でも良い。
【００２５】
柱１０としては、例えば、Ｈ形鋼や、角形鋼管、円形鋼管等の鉄骨柱を例示でき、ここでは角形鋼管の鉄骨柱である。但し、何等鉄骨柱に限るものではなく、つまり、後述するアンカーボルト３４を介して柱型部３０に締結固定可能なベースプレート１０ｂの如き脚部を有していれば、ＣＦＴ等の柱状部材でも良い。
【００２６】
既製杭５０としては、例えばＰＨＣ杭やＰＲＣ杭等の既製コンクリート杭や鋼管杭等を例示でき、ここではＰＨＣ杭が用いられている。なお、既製杭５０の形状としては、図示例のような円筒体等の筒体でも良いし、円柱体等の中実な棒体でも良い。
【００２７】
柱型部３０は、ＲＣ造である。つまり、鉄筋を内在させたコンクリート製の略直方体部材を本体３０ａとし、以下では、これを柱型部本体３０ａと言う。そして、この柱型部本体３０ａの略水平な上面３０ｕには、柱１０の下部（脚部）をなす水平板状のベースプレート１０ｂが無収縮モルタル等のグラウト材３９を介して配置され、アンカーボルト３４により定着されている。
【００２８】
詳しくは、柱型部本体３０ａ内には、鉛直方向に沿って鋼製のアンカーボルト３４が埋設されており、アンカーボルト３４の下部には定着板３５ｂが一体に固定されている一方、アンカーボルト３４の上端部３４ａは、柱型部本体３０ａの上面３０ｕから突出している。そして、当該上端部３４ａが柱１０のベースプレート１０ｂの鉛直なボルト孔１０ｈに通されつつ、同上端部３４ａにおいてボルト孔１０ｈから上方に突出した部分にナット３５ａを螺合させて締め付けることにより、ベースプレート１０ｂの柱型部本体３０ａへの締結固定を通じて、柱１０が柱型部３０に定着されている。
【００２９】
このようなアンカーボルト３４は、水平方向の複数の位置に設置されており、図示例では、ベースプレート１０ｂの平面形状が矩形であることからベースプレート１０ｂの四つの隅角部にそれぞれ対応させて合計四カ所にそれぞれ配置されている（図３Ｂを参照）。
【００３０】
また、この例は、所謂「スマートベース」であるので、これらのアンカーボルト３４は柱型部３０の主筋（ＲＣ部材において、構造計算上必要な軸力や曲げモーメントなどを負担可能な鉄筋）も兼ねており、それ故、当該アンカーボルト３４の材料としては、柱型部３０の主筋としても機能し得るように、２２ｍｍ〜５１ｍｍの直径で材質がＳＤ４９０の鉄筋、又はこれと同等以上の引っ張り耐力を有する鉄筋から選択される。
【００３１】
そして、これにより、柱型部３０には、当該柱型部３０の主筋としてのみ機能する鉄筋は省略されて埋設されず、もって、その施工時において煩雑になりがちな柱型部３０内の配筋作業が軽減される。ちなみに、この図３Ａ及び図３Ｂでは図示していないが、柱型部３０内には、後述する図５Ｄや図５Ｅに示すように、基礎梁２０の主筋２３の端部２３ｅが埋設されていても良い。この場合、これらの主筋２３は、主に基礎梁２０の主筋２３として機能するものであり、つまり、請求項１に係る「柱型部３０の主筋としてのみ機能する鉄筋」に該当しないのは言うまでもない。
【００３２】
また、図３Ｂに示すように、柱型部本体３０ａ内において、これらアンカーボルト３４よりも水平方向の外方の部分には、全てのアンカーボルト３４を一纏めに囲むように鋼製のフープ筋３８が埋設されている。フープ筋３８は、例えば、図３Ａ及び図３Ｂに示すようにＵ字形状の一対の建て方筋３６，３６に支持されている。すなわち、図３Ｂに示すように、一対の建て方筋３６，３６は、これら建て方筋３６，３６同士で、全アンカーボルト３４，３４…を水平方向の外方から挟む位置に配置されており、そして、これら建て方筋３６，３６に対してフープ筋３８が水平に巻き付けられた状態で、フープ筋３８が各建て方筋３６に溶接等により接合されて支持されている。そして、このような支持形態で、複数本（図示例では１０本）のフープ筋３８が鉛直方向（以下、高さ方向とも言う）に間隔を空けつつ並んで配されており、これにより、建て方筋３６と組み合わされてなるフープ筋３８，３８…の一群の外観は略篭状を呈している。
【００３３】
ここで、フープ筋３８の材料は、例えば１０ｍｍ〜１６ｍｍの直径で材質がＳＤ２９５Ａの鉄筋、又はこれと同等以上の引っ張り耐力を有する鉄筋から選択される。
【００３４】
また、建て方筋３６の材料は、適宜な鉄筋から選択される。ちなみに、この建て方筋３６は、フープ筋３６の支持部材として機能するものなので、請求項１における「柱型部３０の主筋としてのみ機能する鉄筋」に該当しないのは言うまでもない。
【００３５】
ここで、本実施形態にあっては、図３Ａ及び図３Ｂに示すように、既製杭５０の頭部５０ａを、柱型部本体３０ａ内における前記四本のアンカーボルト３４，３４…で囲まれる部位に埋設している。すなわち、既製杭５０の頭部５０ａを、柱型部本体３０ａにおける略平面中心部に埋設しているとともに、アンカーボルト３４と既製杭５０の頭部５０ａとを、高さ方向に所定のオーバーラップ長Ｌ３でオーバーラップさせている。そして、こうすることにより、柱型部本体３０ａの平面サイズを大きくすること無く、柱型部３０の水平耐力を高め、地震時における柱型部３０の破損防止を図っている。以下、これについて図４を参照しつつ説明する。
【００３６】
図４に示すように、地震時において建物の柱１０が地盤Ｇに対して相対的に水平方向の左に揺れた際には、柱型部３０には、既製杭５０の頭部５０ａから水平力が付与されるが、ここで、本実施形態にあっては、上述のオーバーラップに基づいて頭部５０ａの柱型部３０への埋設長が比較的長くなっている。よって、左側に傾こうとする頭部５０ａからは、柱梁部３０の上半部には左向きの水平力Ｆａが付与され、同下半部には右向きの水平力Ｆｂが付与される。
【００３７】
但し、この時、上述のようにアンカーボルト３４と既製杭５０の頭部５０ａとは高さ方向にオーバーラップして配置されているので、当該頭部５０ａからの水平力Ｆａ，Ｆｂを、柱型部本体３０ａは、アンカーボルト３４及びフープ筋３８，３８…の張力で受け止めることができる。よって、柱型部本体３０ａにおけるフープ筋３８よりも水平方向の外側のコンクリート部分３０ｅの剪断耐力にあまり頼らずに済み、結果、剪断耐力を高めるための前述の対策（図２Ｂ）、つまり、既製杭５０の外周面５０ｓから柱型部３０の外形輪郭３０ｓまでの寸法Ｌ２の増大策を講じる必要が無くなり、これをもって、柱型部３０の平面サイズを小さくすることができる。
【００３８】
また、望ましくは、既製杭５０の上端面５０ｕが、フープ筋３８，３８…のうちの少なくとも一つのフープ筋３８よりも上方に位置していると良い。図３Ａや図４の例では、高さ方向に合計１０本のフープ筋３８，３８…が並んで配置されており、そのうちの半数を超える下から８本目のフープ筋３８よりも上方の位置に、既製杭５０の上端面５０ｕは位置している。そして、この構成によれば、地震時において既製杭５０の頭部５０ａが柱型部本体３０ａに加え得る前述の水平力Ｆａ，Ｆｂを、多数のフープ筋３８に確実に伝達してこれらフープ筋３８の張力でよりしっかりと受け止めることができて、その結果、柱型部３０の耐久性を高めることができる。
【００３９】
更に、望ましくは、上述の既製杭５０の頭部とアンカーボルト３４とがオーバーラップしている範囲において、その上半部と下半部とのそれぞれにつき、少なくとも１本以上の前記フープ筋３８が配置されていると良い。図４の例では、上半部には３本のフープ筋３８が配置され、下半部には５本のフープ筋３８が配置されている。そして、この構成によれば、同図４で前述したように、地震時に既製杭５０の頭部５０ａから柱型部３０に付与され得る偶力Ｆａ，Ｆｂを、それぞれ、上半部のフープ筋３８及び下半部のフープ筋３８で確実に押さえ込むことができて、その結果、柱型部３０の耐久性を格段に高めることができる。
【００４０】
また、望ましくは、既製杭５０の頭部５０ａの直径がＤ（ｍｍ）である場合に、アンカーボルト３４と既製杭５０の頭部５０ａとの高さ方向のオーバーラップ長Ｌ３を、１×Ｄ（ｍｍ）以上に設定すると良い。そして、このように設定すれば、オーバーラップ長Ｌ３を長く確保できるので、地震時に既製杭５０の頭部５０ａが柱型部本体３０ａに加え得る前述の水平力Ｆａ，Ｆｂを、アンカーボルト３４、及び、当該アンカーボルト３４を介してフープ筋３８の張力でしっかりと受け止めることができる。また、既製杭５０の横断面サイズたる直径Ｄ（ｍｍ）に応じて、前記オーバーラップ長Ｌ３が決められるので、既製杭５０の水平耐力に見合った大きさの水平力Ｆａ，Ｆｂを柱型部本体３０ａへ確実に伝達することができる。つまり、柱型部本体３０ａに対して、既製杭５０の資材コストに相応する大きさの水平力Ｆａ，Ｆｂを柱型部本体３０ａに伝達することができる。
【００４１】
図５Ａ乃至図５Ｆは、本実施形態の連結構造の施工手順の説明図である。  
先ず、図５Ａに示すように、掘削前の地上面からオーガー等で既製杭埋設用の竪孔１５０を掘削し、オーガー等を抜きながら竪孔１５０内にセメントミルク等の充填材を充填する。そうしたら、当該竪孔１５０内に、予め工場等で製造された既製杭５０を目標深さまで建て込む。なお、一本の既製杭５０で足りない場合には、適宜複数本の既製杭５０，５０…を直列に継ぎ足しつつ目標深さまで建て込む。そして、建物の基礎梁２０や柱型部３０を設けるべき空間Ｓ２０，Ｓ３０を形成すべく、地盤Ｇを所定レベルまで掘り下げる。そして、必要に応じて余分な杭頭を切断し、これにより、後に柱型部３０内に埋設されるべき部分たる既製杭５０の頭部５０ａのみが、竪孔１５０から上方に突出した状態にする。
【００４２】
次に、同図５Ａに示すように、掘り下げ形成した前記空間Ｓ２０，Ｓ３０の底面を均すべく、同底面に倣って捨てコン８０を所定厚みで打設する。これにより、この後に行われるべき、各種支持フレームの設置作業や型枠組み、配筋位置の墨出し等の作業を容易に行えるようになる。
【００４３】
次に、図５Ｂに示すように、既製杭５０の頭部５０ａの周囲に、複数の一例として４本のアンカーボルト３４を配置する。これらのアンカーボルト３４，３４…は、適宜な支持フレームにより仮支持される。支持フレームの一例としては、捨てコン８０上に設置され、全アンカーボルト３４，３４…の下端部を一体に支持する略環状の下プレート（不図示）と、同上端部３４ａ，３４ａ…を一体に連結する略環状の上プレート６０と、を組み合わせたものが挙げられ、ここでは、これを使用している。
【００４４】
次に、図５Ｃに示すように、柱型部３０内に埋設されるべきフープ筋３８，３８…及びフープ筋３８を支持する建て方筋３６，３６を、既製杭５０の頭部５０ａの周囲に配置する。また、これと相前後して又は同時に、図５Ｄに示すように、基礎梁２０が設けられるべき空間Ｓ２０に、基礎梁２０用の主筋２３，２３…やスターラップ筋２５，２５…を配置する。なお、基礎梁２０用の主筋２３の端部２３ｅは、例えば、既製杭５０の頭部５０ａの周囲の位置において、水平方向から鉛直方向の下方に屈曲され、当該屈曲された端部２３ｅが、フープ筋３８の内周側に位置していても良い。
【００４５】
次に、図５Ｅに示す前記空間Ｓ２０，Ｓ３０に、柱型部３０用の型枠（不図示）及び基礎梁２０用の型枠（不図示）を配置する。そして、これら型枠内に、同図５Ｅ中ドットで示すようにコンクリートを打設し、当該コンクリートの硬化後に上記型枠を解体し、これにより、柱型部３０及び基礎梁２０が形成される。なお、この時、柱型部３０のコンクリートの上面３０ｕからは前記アンカーボルト３４の上端部３４ａが突出した状態となっている。
【００４６】
そうしたら、最後に、図５Ｆに示すように、柱型部３０の上面３０ｕに鉄骨柱１０を据え付ける。すなわち、柱型部３０の上面３０ｕにおいてアンカーボルト３４が突出する部分に向けて上方から鉄骨柱１０を降ろし、この降下中に、鉄骨柱１０のベースプレート１０ｂの各ボルト孔１０ｈに、それぞれ対応するアンカーボルト３４を通す。そして、柱型部３０の上面３０ｕとベースプレート１０ｂとの間に所定隙間Ｓを空けた状態で、鉄骨柱１０を仮支持し、この仮支持の間に、前記隙間Ｓに無収縮モルタル等のグラウト材３９を密実に充填する。そうしたら、ベースプレート１０ｂのボルト孔１０ｈから上方に突出した各アンカーボルト３４の上端部３４ａに、それぞれナット３５ａを螺合させるとともに各ナット３５ａを締め込み、これによるベースプレート１０ｂの柱型部３０への締結固定を介して鉄骨柱１０の柱型部３０への据え付けが終了する。そして、当該終了をもって、連結構造の施工が完了する。
【００４７】
図６Ａ及び図６Ｂは、本実施形態に係る柱型部３０の変形例の説明図である。図６Ａは、柱型部３０を破断して示す概略側面図であり、図６Ｂは、図６Ａ中のＢ−Ｂ断面図である。
【００４８】
上述の実施形態では、図３Ａの柱型部３０内にフープ筋３８を配筋するのに、建て方筋３６を用いていたが、この変形例では、建て方筋３６を使用しない点で相違する。なお、これ以外の点は概ね上述の実施形態と同じであり、同一の構成要素については同一の符号を付し、その説明は省略する。
【００４９】
この変形例では、フープ筋３８をアンカーボルト３４，３４…に巻き付けている。すなわち、全四本のアンカーボルト３４，３４…を一つに束ねるように、フープ筋３８が水平方向の外方からこれらアンカーボルト３４，３４…に巻き付けられて結束線等で接合されている。そして、かかる形態で、複数のフープ筋３８，３８…が、互いの間に高さ方向に間隔を空けつつ並んで配置されている。
【００５０】
よって、この変形例によれば、建て方筋３６を設けずに済み、その結果、資材コストの削減を図れる。また、フープ筋３８はアンカーボルト３４に近接配置されるので、柱型部３０の平面サイズをより小さくすることもできる。更には、アンカーボルト３４とフープ筋３８との接合に基づいて、アンカーボルト３４とフープ筋３８との水平力の伝達が速やか且つ確実に行われるので、地震時に既製杭５０の頭部５０ａが柱型部本体３０ａに加え得る水平力Ｆａ，Ｆｂをフープ筋３８の張力でより確実に受け止め可能となる。
【００５１】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【００５２】
上述の実施形態では、全アンカーボルト３４，３４…を水平方向の外方から挟む位置に、一対の建て方筋３６，３６同士を配置したが、全アンカーボルト３４，３４…を水平方向の外方から囲むようにフープ筋３８を配置できれば、これに限らない。
【００５３】
上述の実施形態では、フープ筋３８を支持する建て方筋３６として、図３Ａに示すような両端部が上方を向いたＵ字形状の鉄筋を例示したが、フープ筋３８の配筋時に同フープ筋３８を支持できれば何等これに限るものではなく、つまり、これ以外の部材でも良い。
【符号の説明】
【００５４】
１０  柱、１０ｂ  ベースプレート、１０ｈ  ボルト孔、
２０  基礎梁、２３  主筋、２３ｅ  端部、２５  スターラップ筋、
３０  柱型部、３０ａ  柱型部本体、３０ｅ  コンクリート部分、
３０ｓ  外形輪郭、３０ｕ  上面、
３４  アンカーボルト、３４ａ  上端部、３５ａ  ナット、３５ｂ  定着板、
３６  建て方筋、３８  フープ筋、３９  グラウト材、
５０  既製杭、５０ａ  頭部、５０ｓ  外周面、５０ｕ  上端面、
６０  上プレート、８０  捨てコン、１５０  竪孔、
Ｇ  地盤、Ｓ  隙間、Ｓ２０  空間、Ｓ３０  空間
【図１】
2011084967.tif 000003
【図３】
2011084967.tif 000004
【図４】
2011084967.tif 000005
【図５】
2011084967.tif 000006
【図６】
2011084967.tif 000007
【図２】
2011084967.tif 000008